(57)【要約】  【課題】  本発明は，ユーザが希望する地域を自由度高く選択させ，表示させることができる地図表示サイトを提供することを目的とする。  【解決手段】  本発明によれば，複数の地域名を入力できるようにして，その入力された地域に存在する所定の建物を含む領域の地図部分を抽出すると共に，抽出された地図情報の縮尺を，表示部の大きさに合わせて調整することで，ユーザが希望する地域を自由度高く選択させ，表示させることができる地図表示サイトを提供することができる。  【選択図】  図１
2009058699.tif 000002
【特許請求の範囲】
【請求項１】
複数種類の縮尺を有する地図情報を記憶する地図記憶データベース（２）と，
前記地図記憶データベースに記憶された地図上の各地点に対応する建物に関する情報であって，検索するための地域名及びキーワードを含む情報，を記憶する建物情報記憶部（３）と，
複数の地域名を入力することができる地域名入力手段（４）と，
複数のキーワードを入力することができるキーワード入力手段（５）と，
前記地域名入力手段（４）から入力された地域名，及び前記キーワード入力手段（５）から入力されたキーワードのいずれか又は両方を用いて，前記建物情報記憶部（３）から該当する建物に関する情報を抽出するための建物抽出手段（６）と，
前記地図記憶データベース（２）から，前記建物抽出手段（６）が抽出した全ての建物を含む領域の縦方向の長さ及び横方向の長さを求め，表示領域にあった縮尺の地図情報を抽出すると共に，前記表示領域にあうような前記領域図を抽出するための地図抽出手段（８）と，
前記地図抽出手段（８）が抽出した領域図を出力すると共に，前記地図抽出手段（８）が抽出した領域図に含まれ前記建物抽出手段（６）が抽出した建物に関する情報を出力する，出力手段（９）と，
を有する，
地図情報の提供システム。
【請求項２】
前記地図抽出手段（８）は，
前記地図記憶データベース（２）から，前記建物抽出手段（６）が抽出した全ての建物を含む領域の縦方向の長さ及び横方向の長さを求め，表示領域にあった縮尺の地図情報を抽出すると共に，抽出した縮尺の地図を前記表示領域にあうように拡大又は縮小する，
請求項１に記載の地図情報の提供システム。
【請求項３】
さらに，前記出力手段（８）が出力する領域図のうち，選択された領域を入力するための領域選択手段（１１）を具備し，
前記地図抽出手段（８）は，前記領域選択手段（１１）により選択された領域の縦方向の長さ及び横方向の長さのいずれか又は両方を求め，表示領域にあった縮尺の地図情報を抽出すると共に，前記表示領域にあうような前記領域図を抽出する，
請求項１に記載の地図情報の提供システム。
【発明の詳細な説明】
【技術分野】
【０００１】
本発明は，有効な地図表示サイトなどに関する。
【背景技術】
【０００２】
従来から，地図を表示させるためのウェブサイトが知られている（たとえば，下記特許文献１）を参照。
【０００３】
このような地図表示サイトは，通常，ある特定の１箇所の地名に基づき，その地域を表示させることはできる。しかしながら，ユーザが希望する特定の地域を表示することはできない。また，たとえば，ユーザが希望するいくつかの地域の名称に基づいて，ユーザ向けにカスタマイズされた地域を表示することはできない。
【特許文献１】特許公開２００２−５５６０１号公報
【発明の開示】
【発明が解決しようとする課題】
【０００４】
本発明は，ユーザが希望する地域を自由度高く選択させ，表示させることができる地図表示サイトを提供することを目的とする。      
【課題を解決するための手段】
【０００５】
本発明は，基本的には，複数の地域名を入力できるようにして，その入力された地域に存在する所定の建物を含む領域の地図部分を抽出すると共に，抽出された地図情報の縮尺を，表示部の大きさに合わせて調整することで，ユーザが希望する地域を自由度高く選択させ，表示させることができる地図表示サイトを提供することができるという知見に基づく。
【０００６】
具体的には，本発明は，複数種類の縮尺を有する地図情報を記憶する地図記憶データベース（２）と，前記地図記憶データベースに記憶された地図上の各地点に対応する建物に関する情報であって，検索するための地域名及びキーワードを含む情報，を記憶する建物情報記憶部（３）と，複数の地域名を入力することができる地域名入力手段（４）と，複数のキーワードを入力することができるキーワード入力手段（５）と，前記地域名入力手段（４）から入力された地域名，及び前記キーワード入力手段（５）から入力されたキーワードのいずれか又は両方を用いて，前記建物情報記憶部（３）から該当する建物に関する情報を抽出するための建物抽出手段（６）と，前記地図記憶データベース（２）から，前記建物抽出手段（６）が抽出した全ての建物を含む領域の縦方向の長さ及び横方向の長さを求め，表示領域にあった縮尺の地図情報を抽出すると共に，前記表示領域にあうような前記領域図を抽出するための地図抽出手段（８）と，前記地図抽出手段（８）が抽出した領域図を出力すると共に，前記地図抽出手段（８）が抽出した領域図に含まれ前記建物抽出手段（６）が抽出した建物に関する情報を出力する，出力手段（９）と，を有する，地図情報の提供システムに関する。
【０００７】
通常の地図検索サイトでは，ひとつの地域名に基づいて領域が検索されるので自由度が高くない。一方，本発明によれば，複数の地域名に基づいて対象領域を調査することができるので自由度が増すこととなる。また，建物抽出手段（６）が抽出した建物を含む領域を効果的に表示できるので，より利便性の高い地図情報を表示できることとなる。
【０００８】
本発明の好ましい態様は，前記地図抽出手段（８）は，前記地図記憶データベース（２）から，前記建物抽出手段（６）が抽出した全ての建物を含む領域の縦方向の長さ及び横方向の長さを求め，表示領域にあった縮尺の地図情報を抽出すると共に，抽出した縮尺の地図を前記表示領域にあうように拡大又は縮小する上記に記載の地図情報の提供システムに関する。
【０００９】
このように抽出した縮尺の地図を前記表示領域にあうように拡大又は縮小するので，表示領域に応じた地図を効果的に表示できることとなる。
【００１０】
本発明の好ましい態様は，さらに，前記出力手段（８）が出力する領域図のうち，選択された領域を入力するための領域選択手段（１１）を具備し，前記地図抽出手段（８）は，前記領域選択手段（１１）により選択された領域の縦方向の長さ及び横方向の長さのいずれか又は両方を求め，表示領域にあった縮尺の地図情報を抽出すると共に，前記表示領域にあうような前記領域図を抽出する上記いずれかに記載の地図情報の提供システムに関する。
【発明の効果】
【００１１】
本発明によれば，複数の地域名を入力できるようにして，その入力された地域に存在する所定の建物を含む領域の地図部分を抽出すると共に，抽出された地図情報の縮尺を，表示部の大きさに合わせて調整することで，ユーザが希望する地域を自由度高く選択させ，表示させることができる地図表示サイトを提供することができる。
【発明を実施するための最良の形態】
【００１２】
図１は，本発明の地図情報の提供システムを示すブロック図である。図１に示されるように，本発明の地図情報の提供システム（１）は，複数種類の縮尺を有する地図情報を記憶する地図記憶データベース（２）と，前記地図記憶データベースに記憶された地図上の各地点に対応する建物に関する情報であって，検索するための地域名及びキーワードを含む情報，を記憶する建物情報記憶部（３）と，複数の地域名を入力することができる地域名入力手段（４）と，複数のキーワードを入力することができるキーワード入力手段（５）と，前記地域名入力手段（４）から入力された地域名，及び前記キーワード入力手段（５）から入力されたキーワードのいずれか又は両方を用いて，前記建物情報記憶部（３）から該当する建物に関する情報を抽出するための建物抽出手段（６）と，前記地図記憶データベース（２）から，前記建物抽出手段（６）が抽出した全ての建物を含む領域の縦方向の長さ及び横方向の長さを求め，表示領域にあった縮尺の地図情報を抽出すると共に，前記表示領域にあうような前記領域図を抽出するための地図抽出手段（８）と，前記地図抽出手段（８）が抽出した領域図を出力すると共に，前記地図抽出手段（８）が抽出した領域図に含まれ前記建物抽出手段（６）が抽出した建物に関する情報を出力する，出力手段（９）と，を有する，地図情報の提供システムである。
【００１３】
本発明は，インターネット上の地図情報の提供サイトにおいて採用される全ての構成を適宜採用することができる。すなわち，本発明の地図情報の提供システムは，インターネットに接続されたクライアント・サーバシステムにおける地図情報の提供システムなどとして利用されうる。したがって，本発明の地図情報の提供システムを実現するためのサーバは，公知のコンピュータが有する構成を適宜備えればよい。すなわち，コンピュータまたはサーバは，情報の授受を行うための入出力部，情報を記憶する記憶部，制御を行う制御部，各種演算を行う演算部，及びそれぞれの要素を接続するバスなどの伝送路を有している。そして，たとえば，記憶部のメインメモリには，制御プログラムが格納され，所定の情報が入力されると，制御部はメインメモリから制御プログラムを読み出すと共に，記憶部に記憶された各種情報を読み出して演算部にて演算を行い，適宜記憶部に記憶し，出力部から出力する。
【００１４】
地図記憶データベース（２）は，複数種類の縮尺を有する地図情報を記憶するデータベースである。地図記憶データベース（２）として，インターネット上の地図情報の提供サイトにおいて採用されるものを適宜用いることができる。たとえば，世界地図，日本全図，１／１０００００，１／１０００００，１／３０００など各種の縮尺を有する地図を記憶するものがあげられる。なお，この複数種類の縮尺を有する地図には，たとえばいくつかのフラグが立てられる等により，地図上のある地点にリンクが張られているものが好ましい。
【００１５】
建物情報記憶部（３）は，前記地図記憶データベースに記憶された地図上の各地点に対応する建物に関する情報であって，検索するための地域名及びキーワードを含む情報，を記憶するものである。建物情報記憶部（３）として，インターネット上の地図情報の提供サイトにおいて採用されるものを適宜用いることができる。たとえば，建物情報記憶部（３）が記憶する情報として，賃貸住宅に関する情報，販売住宅に関する情報，映画館に関する情報，娯楽施設に関する情報，医療機関に関する情報が挙げられる。
【００１６】
地域名入力手段（４）は，本発明のシステムに１又は複数の地域名を入力するための手段である。具体的には，ユーザがクライアントに１又は複数の地域名を入力した場合，その入力された情報を受け取って，本発明のシステムに入力情報として入力するものが挙げられる。地域名としては，渋谷，新宿，中央区，東京，などがあげられる。
【００１７】
キーワード入力手段（５）は，本発明のシステムに１又は複数のキーワードを入力するための手段である。具体的には，ユーザがクライアントに１又は複数のキーワードを入力した場合，その入力された情報を受け取って，本発明のシステムに入力情報として入力するものが挙げられる。
【００１８】
建物抽出手段（６）は，前記地域名入力手段（４）から入力された地域名，及び前記キーワード入力手段（５）から入力されたキーワードのいずれか又は両方を用いて，前記建物情報記憶部（３）から該当する建物に関する情報を抽出するための手段である。すなわち，前記建物情報記憶部（３）には，地域名又はキーワードに関連して，複数の建物情報が記憶されているので，地域名又はキーワードを用いて該当する建物に関する情報を抽出する。
【００１９】
地図抽出手段（８）は，前記地図記憶データベース（２）から，前記建物抽出手段（６）が抽出した全ての建物を含む領域の縦方向の長さ及び横方向の長さを求め，表示領域にあった縮尺の地図情報を抽出すると共に，前記表示領域にあうような前記領域図を抽出するための手段である。
【００２０】
地図抽出手段（８）は，前記地図記憶データベース（２）から，前記建物抽出手段（６）が抽出した全ての建物を含む領域の縦方向の長さ及び横方向の長さを求め，表示領域にあった縮尺の地図情報を抽出すると共に，抽出した縮尺の地図を前記表示領域にあうように拡大又は縮小するものであってもよい。また，抽出した縮尺の地図のうち，全ての建物を含む領域を切り出して抽出するものであっても良い。
【００２１】
出力手段（９）は，地図抽出手段（８）と，前記地図抽出手段（８）が抽出した領域図を出力すると共に，前記地図抽出手段（８）が抽出した領域図に含まれ前記建物抽出手段（６）が抽出した建物に関する情報を出力するための手段である。
【００２２】
なお，図１において符号１１は，出力手段（８）が出力する領域図のうち，選択された領域を入力するための領域選択手段（１１）である。この領域選択手段（１１）を具備する場合，地図抽出手段（８）として，前記領域選択手段（１１）により選択された領域の縦方向の長さ及び横方向の長さを求め，表示領域にあった縮尺の地図情報を抽出すると共に，前記表示領域にあうような前記領域図を抽出する機能をさらに有するものを用いればよい。
【００２３】
以下では，本発明の地図情報の提供システムの動作例を説明する。たとえば，ユーザが新宿，渋谷又は池袋における賃貸物件を探していたとする。従来では，これら３つの領域を含む地図を表示することはできたかもしれない。しかし，たとえば，池袋のはずれなど，建物が含まれない領域をも表示することとなる。その結果，従来の地図情報の提供システムに従って，建物情報を表示すると，無駄な領域をも表示することとなるので，効果的に表示できなかった。
【００２４】
図２は，本発明の地図情報の提供システムの表示例を示す図である。たとえば，ユーザが図２に示されるように，新宿，渋谷，池袋という地域名を入力すると，その名称とリンクされる建物が表示される。すなわち，地域名入力手段（４）が，クライアントから新宿，渋谷，池袋という情報を受け取る。そして，建物抽出手段（６）が，新宿，渋谷，池袋という地域名を用いて，建物情報記憶部（３）から該当する建物に関する情報を抽出する。
【００２５】
そして，地図抽出手段（８）は，前記地図記憶データベース（２）から，前記建物抽出手段（６）が抽出した全ての建物を含む領域の縦方向の長さ及び横方向の長さを求め，表示領域にあった縮尺の地図情報を抽出すると共に，前記表示領域にあうような前記領域図を抽出する。図２に示される表示例は，建物とともに抽出された領域図が表示されるように出力されたものである。
【００２６】
なお，本発明のシステムでは，地域名のみならず，キーワードのみを入力させて，該当する建物を検索することもできる。図３は，キーワードに基づいて建物を検索した場合の表示例を示す図である。図３に示されるように，たとえばプールというキーワードを入力した場合，本発明のシステムは，プールというキーワードの入力を受けて，プールというキーワードと関連して建物情報記憶部（３）に記憶される物件を抽出し，その全ての建物が含まれる領域図を抽出して,出力する。
【００２７】
また，たとえば，ある映画を新宿，渋谷，又は池袋で見たい場合，新宿，渋谷，池袋という地域名とともに，その映画に関するキーワードを入力する。すると，地域名及びキーワードと関連して記憶される建物（映画館）を抽出して，全ての映画館が含まれる領域図が表示されることとなる。そして，たとえば，池袋では，希望する映画が放映されていない場合，新宿の映画館と渋谷の映画館を含む領域図が表示されることとなるので，ユーザが必要とする領域のみの情報を効率的に表示させることができることとなる。
【００２８】
さらに，本発明の好ましい態様では，表示された領域の一部分を選択することで，その選択された部分を表示領域に表示させるというものである。図４は，選択領域を表示させた例を示す図である。図４Ａは選択前の表示領域を示し，図４Ｂは選択された後の表示領域を示す。すなわち，図４Ａに示されるような表示画面のうち一部を選択すると，その領域の縦方向の長さ及び横方向の長さのいずれか又は両方を求め，表示領域にあった縮尺の地図情報を抽出すると共に，前記表示領域にあうような前記領域図を抽出する。すると，図４Ｂに示されるような領域図であってより詳細な地図が表示領域に表示されることとなる。
【産業上の利用可能性】
【００２９】
本発明は，地図情報の提供サイトなどにおいて，好ましく利用されうる。
【図面の簡単な説明】
【００３０】
【図１】図１は，本発明の地図情報の提供システムを示すブロック図である。
【図２】図２は，本発明の地図情報の提供システムの表示例を示す図である。
【図３】図３は，キーワードに基づいて建物を検索した場合の表示例を示す図である。
【図４】図４は，選択領域を表示させた例を示す図である。図４Ａは選択前の表示領域を示し，図４Ｂは選択された後の表示領域を示す。
【符号の説明】
【００３１】
１  地図情報の提供システム
２  地図記憶データベース
３  建物情報記憶部
４  地域名入力手段
５  キーワード入力手段
６  建物抽出手段
８  地図抽出手段
９  建物抽出手段
１１  領域選択手段
【図１】
2009058699.tif 000003
【図２】
2009058699.tif 000004
【図３】
2009058699.tif 000005
【図４】
2009058699.tif 000006